(57)【特許請求の範囲】
【請求項１】
第一パネルおよび第二パネルを連結する出隅方立構造であって、
前記第一パネルを保持する第一縦枠と、前記第二パネルを保持する第二縦枠と、前記第一縦枠および前記第二縦枠を連結する方立とを備え、
前記方立は、前記第一パネルおよび前記第二パネルよりも室内側に配置され、
前記第一縦枠は、前記第一パネルに沿って配置される第一室外見付け片部と、前記第一室外見付け片部に連続する第一傾斜片部とを有し、
前記第二縦枠は、前記第二パネルに沿って配置される第二室外見付け片部と、前記第二室外見付け片部に連続する第二傾斜片部とを有し、
前記第一傾斜片部は、前記第一室外見付け片部に対して出隅角度よりも小さな鋭角をもって傾斜して配置され、
前記第二傾斜片部は、前記第二室外見付け片部に対して出隅角度よりも小さな鋭角をもって傾斜して配置される
ことを特徴とする出隅方立構造。
【請求項２】
請求項１に記載の出隅方立構造において、
前記第一室外見付け片部に対する前記第一傾斜片部の傾斜角度は、前記第二室外見付け片部に対する前記第二傾斜片部の傾斜角度と同じに設定され、
前記第一傾斜片部および前記第二傾斜片部のそれぞれの外面の少なくとも室外部分は、互いに平行に配置され、
前記室外部分間には、シール材が設けられる
ことを特徴とする出隅方立構造。
【請求項３】
請求項１または請求項２に記載の出隅方立構造において、
少なくとも前記第一傾斜片部の内面が前記第一室外見付け片部に対して傾斜する傾斜角度は、前記第一傾斜片部の外面が前記第一室外見付け片部に対して傾斜する傾斜角度よりも大きく設定される
ことを特徴とする出隅方立構造。
【請求項４】
請求項１または請求項２に記載の出隅方立構造において、
少なくとも前記第一傾斜片部の内面が前記第一室外見付け片部に対して傾斜する傾斜角度は、前記第一傾斜片部の外面の室外部分が前記第一室外見付け片部に対して傾斜する傾斜角度よりも大きく設定され、
前記第一傾斜片部の外面の室外部分よりも室内側寄りの部分は、前記第一傾斜片部の内面と平行に配置される
ことを特徴とする出隅方立構造。
【請求項５】
請求項１から請求項４のいずれか一項に記載の出隅方立構造において、
前記第一縦枠は、前記第一傾斜片部に連続する第一室内見付け片部を有し、
前記第二縦枠は、前記第二傾斜片部に連続する第二室内見付け片部を有し、
前記方立は、前記第一室内見付け片部に連結される第一連結片部と、前記第二室内見付け片部に連結される第二連結片部と、前記第一連結片部および前記第二連結片部に連続する方立本体とを有し、
前記方立本体は、前記第一傾斜片部および前記第二傾斜片部間に配置され、
前記方立本体は、前記第一縦枠および前記第二縦枠に係合する係合部と、前記係合部よりも前記第一連結片部および前記第二連結片部側の位置に形成された切欠部とを有し、
前記切欠部は、前記第一傾斜片部および前記第二傾斜片部に横材を取り付ける取付具が配置可能に構成される
ことを特徴とする出隅方立構造。
【請求項６】
請求項１から請求項５のいずれか一項に記載の出隅方立構造において、
前記第一縦枠は、前記第一傾斜片部に連続する第一室内見付け片部を有し、
前記第二縦枠は、前記第二傾斜片部に連続する第二室内見付け片部を有し、
前記方立は、前記第一室内見付け片部に連結される第一連結片部と、前記第二室内見付け片部に連結される第二連結片部と、前記第一連結片部および前記第二連結片部に連続する方立本体とを有し、
前記方立本体は、前記第一傾斜片部および前記第二傾斜片部間に配置され、
前記方立本体は、前記第一縦枠および前記第二縦枠に係合する係合部と、前記係合部よりも前記第一連結片部および前記第二連結片部側の位置に形成された当接部とを有し、
前記当接部は、前記第一傾斜片部および前記第二傾斜片部のそれぞれの外面に当接する
ことを特徴とする出隅方立構造。
【発明の詳細な説明】
【技術分野】
【０００１】
本発明は、屋内外を仕切るサッシや屋内空間の間仕切りとして使用される連窓などに設けられる出隅方立構造に関する。
【背景技術】
【０００２】
従来、出隅方立構造として、出隅コーナー用方立と、出隅コーナー用方立に接合される左右のコーナー用縦枠と、一対のコーナー用縦枠同士を固定するコーナー部カバー材とによって構成される出隅コーナー部構造が提案されている（特許文献１参照）。
出隅コーナー用方立は、左右のコーナー用縦枠よりも室内側に配置されている。各コーナー用縦枠は、ガラスが装着されており、各ガラスの見込み方向と平行に配置される見込み片部を有している。各見込み片部は、各ガラスよりも室内側に突出して形成されて出隅コーナー部構造の強度を高めている。
【先行技術文献】
【特許文献】
【０００３】
【特許文献１】特開２００１−９８６８５号公報
【発明の概要】
【発明が解決しようとする課題】
【０００４】
近年、出隅方立構造を外観上スリム化することでガラス等のパネルの露呈面を大きくして、シンプルな外観意匠を形成することが望まれることがある。
ところで、特許文献１に記載の出隅コーナー部構造では、各コーナー用縦枠の各見込み片部は、各ガラスの見込み方向と平行に配置されるため、各ガラスよりも室内側に突出した各見込み片部の室内縁部同士を近接して配置しても、各見込み片部の室外縁部同士は大きく離間して位置してしまう。このため、パネルの保持強度を維持しつつ出隅コーナー部構造を外観上スリム化することが困難である。
【０００５】
本発明の目的は、パネルの保持強度を維持しつつ外観上スリム化できる出隅方立構造を提供することにある。
【課題を解決するための手段】
【０００６】
本発明の出隅方立構造は、第一パネルおよび第二パネルを連結する出隅方立構造であって、前記第一パネルを保持する第一縦枠と、前記第二パネルを保持する第二縦枠と、前記第一縦枠および前記第二縦枠を連結する方立とを備え、前記方立は、前記第一パネルおよび前記第二パネルよりも室内側に配置され、前記第一縦枠は、前記第一パネルに沿って配置される第一室外見付け片部と、前記第一室外見付け片部に連続する第一傾斜片部とを有し、前記第二縦枠は、前記第二パネルに沿って配置される第二室外見付け片部と、前記第二室外見付け片部に連続する第二傾斜片部とを有し、前記第一傾斜片部は、前記第一室外見付け片部に対して出隅角度よりも小さな鋭角をもって傾斜して配置され、前記第二傾斜片部は、前記第二室外見付け片部に対して出隅角度よりも小さな鋭角をもって傾斜して配置されることを特徴とする。
【０００７】
本発明の出隅方立構造によれば、第一傾斜片部は、第一室外見付け片部に対して出隅角度よりも小さな鋭角をもって傾斜して配置され、第二傾斜片部は、第二室外見付け片部に対して出隅角度よりも小さな鋭角をもって傾斜して配置される。このため、例えば、出隅を形成する一対の縦枠がガラス等のパネルの見込み方向と平行に配置される場合と比べ、第一傾斜片部および第二傾斜片部の室外縁部同士を近接して配置できるので、出隅方立構造を外観上スリム化できる。
また、方立は、第一パネルおよび第二パネルよりも室内側に配置されて当該第一縦枠および第二縦枠を連結するため、出隅方立構造の外観に影響を与えることなく、パネルを保持するのに十分な強度を有した構造体を構成できる。
【０００８】
本発明の出隅方立構造では、前記第一室外見付け片部に対する前記第一傾斜片部の傾斜角度は、前記第二室外見付け片部に対する前記第二傾斜片部の傾斜角度と同じに設定され、前記第一傾斜片部および前記第二傾斜片部のそれぞれの外面の少なくとも室外部分は、互いに平行に配置され、前記室外部分間には、シール材が設けられることが好ましい。
このような構成によれば、第一縦枠および第二縦枠の断面形状を共通化することが容易となる。これにより、各縦枠の製造コストを削減でき、施工性を向上できる。
また、第一傾斜片部および第二傾斜片部のそれぞれの外面の室外部分が互いに平行に配置されるため、シール材の施工性を向上することができる。
【０００９】
本発明の出隅方立構造では、少なくとも前記第一傾斜片部の内面が前記第一室外見付け片部に対して傾斜する傾斜角度は、前記第一傾斜片部の外面が前記第一室外見付け片部に対して傾斜する傾斜角度よりも大きく設定されることが好ましい。
このような構成によれば、第一傾斜片部の内面と第一パネルの側端面とのクリアランスを大きくでき、従来よりも大型のパネルを採用することが可能となる。
【００１０】
本発明の出隅方立構造では、少なくとも前記第一傾斜片部の内面が前記第一室外見付け片部に対して傾斜する傾斜角度は、前記第一傾斜片部の外面の室外部分が前記第一室外見付け片部に対して傾斜する傾斜角度よりも大きく設定され、前記第一傾斜片部の外面の室外部分よりも室内側寄りの部分は、前記第一傾斜片部の内面と平行に配置されることが好ましい。
このような構成によれば、当該傾斜片部の内面と第一パネルの側端面とのクリアランスを大きくでき、しかも、第一傾斜片部の外面の室外部分よりも室内側寄りの部分は、第一傾斜片部の内面と平行に配置されるため、当該室内側寄りの部分の肉厚を一定に形成でき、第一傾斜片部の外面に対し前述した内面の傾斜角度が大きく設定される場合と比べ、第一傾斜片部の室内側強度を維持できる。
【００１１】
本発明の出隅方立構造では、前記第一縦枠は、前記第一傾斜片部に連続する第一室内見付け片部を有し、前記第二縦枠は、前記第二傾斜片部に連続する第二室内見付け片部を有し、前記方立は、前記第一室内見付け片部に連結される第一連結片部と、前記第二室内見付け片部に連結される第二連結片部と、前記第一連結片部および前記第二連結片部に連続する方立本体とを有し、前記方立本体は、前記第一傾斜片部および前記第二傾斜片部間に配置され、前記方立本体は、前記第一縦枠および前記第二縦枠に係合する係合部と、前記係合部よりも前記第一連結片部および前記第二連結片部側の位置に形成された切欠部とを有し、前記切欠部は、前記第一傾斜片部および前記第二傾斜片部に横材を取り付ける取付具が配置可能に構成されることが好ましい。
このような構成によれば、第一縦枠および第二縦枠を方立本体の係合部に係合し、第一連結片部および第二連結片部に連結して、第一傾斜片部および第二傾斜片部を方立本体の近くに配置した場合に、取付具の一部が、第一傾斜片部および第二傾斜片部と方立本体との間に位置しても、この取付具の一部を方立本体の切欠部に配置でき、取付具と方立本体との干渉をなくすことができる。このため、出隅方立構造の外観をスリム化できる。
【００１２】
本発明の出隅方立構造では、前記第一縦枠は、前記第一傾斜片部に連続する第一室内見付け片部を有し、前記第二縦枠は、前記第二傾斜片部に連続する第二室内見付け片部を有し、前記方立は、前記第一室内見付け片部に連結される第一連結片部と、前記第二室内見付け片部に連結される第二連結片部と、前記第一連結片部および前記第二連結片部に連続する方立本体とを有し、前記方立本体は、前記第一傾斜片部および前記第二傾斜片部間に配置され、前記方立本体は、前記第一縦枠および前記第二縦枠に係合する係合部と、前記係合部よりも前記第一連結片部および前記第二連結片部側の位置に形成された当接部とを有し、前記当接部は、前記第一傾斜片部および前記第二傾斜片部のそれぞれの外面に当接することが好ましい。
このような構成によれば、第一縦枠、第二縦枠を方立に連結する場合において第一室内見付け片部、第二室内見付け片部を第一連結片部、第二連結片部に連結する前段階であっても、第一縦枠、第二縦枠を方立本体の係合部に係合して当接部に当接することによって、第一縦枠、第二縦枠の方立に対する位置決めができ、出隅方立構造の組立作業性を向上できる。
【発明の効果】
【００１３】
本発明によれば、パネルの保持強度を維持しつつ外観上スリム化できる出隅方立構造を提供できる。
【図面の簡単な説明】
【００１４】
【図１】本発明の第１実施形態に係る出隅方立構造を備えた連窓を示す斜視図。
【図２】第１実施形態に係る出隅方立構造を備えた連窓の縦断面図。
【図３】第１実施形態に係る出隅方立構造を備えた連窓の横断面図。
【図４】第１実施形態に係る出隅方立構造を示す横断面図。
【図５】第１実施形態に係る出隅方立構造を示す斜視図。
【図６】第１実施形態に係る出隅方立構造の方立を示す斜視図。
【図７】第１実施形態に係る出隅方立構造の組立手順を示す横断面図。
【図８】第１実施形態に係る出隅方立構造の組立手順を示す横断面図。
【図９】第２実施形態に係る出隅方立構造を示す横断面図。
【図１０】第３実施形態に係る出隅方立構造を示す横断面図。
【図１１】第４実施形態に係る出隅方立構造を示す横断面図。
【発明を実施するための形態】
【００１５】
［第１実施形態］
以下、本発明の第１実施形態を図面に基づいて説明する。
図１〜３において、連窓１は、オフィスビル等において屋内外を仕切るものであり、複数のパネル体２が連なって構成されている。
複数のパネル体２のうちの第一パネル体２Ａおよび第二パネル体２Ｂは、９０°の出隅角度θ１（図４参照）をもって互いに隣り合って配置されている。
【００１６】
第一パネル体２Ａは、枠体４と、枠体４内に設けられた第一パネルであるガラスパネル５（複層ガラスパネル）と備えて構成されている。
枠体４は、アルミ押出形材によって形成された上枠６、下枠７、左右の縦枠９，１０を枠組みし、縦枠９，１０間に無目８を設けて構成されている。第一パネル体２Ａにおいて、ガラスパネル５は二枚設けられ、無目８の上下に配置されている。
第二パネル体２Ｂは、第一パネル体２Ａと同様に構成され、図１において第一パネル体２Ａと左右逆向きに設けられている。
【００１７】
上枠６、下枠７および無目８は、縦枠９，１０間に設けられた横材である。上枠６、下枠７および無目８の一方の端面は縦枠９の見込み片部にネジ止めされている。第一パネル体２Ａの上枠６、下枠７および無目８の他方の端面は、後述する第一縦枠１０Ａの第一傾斜片部１５Ａの内面１５２に沿って形成されて当該第一傾斜片部１５Ａに取付ネジ３１（取付具）によってネジ止めされている。第二パネル体２Ｂの上枠６、下枠７および無目８の他方の端面は、後述する第二縦枠１０Ｂの第一傾斜片部１５Ａの内面１５２に沿って形成されて当該第二傾斜片部１５Ｂに取付ネジ３１によってネジ止めされている。
【００１８】
第一パネル体２Ａの縦枠１０は、第一縦枠１０Ａとして構成され、第二パネル体２Ｂの縦枠１０は、第一縦枠１０Ａに対向して配置される第二縦枠１０Ｂとして構成されている。第一縦枠１０Ａおよび第二縦枠１０Ｂは、図３に示す方立２０によって互いに連結されている。
第一縦枠１０Ａ、第二縦枠１０Ｂおよび方立２０によって第１実施形態に係る出隅方立構造３０が構成されている。本実施形態では、出隅方立構造３０における出隅角度θ１は、前述した９０°に限られず、０°よりも大きく１８０°よりも小さい範囲内の任意角度に予め設定可能である。
【００１９】
第一縦枠１０Ａは、図４に示すように、室外枠部１１Ａと、第一傾斜片部１５Ａと、室内枠部１６Ａとを有して構成されている。
【００２０】
室外枠部１１Ａは、第一室外見付け片部１２Ａと、第一室外見付け片部１２Ａおよび第一傾斜片部１５Ａに連続する係合片部１３とを有しており、係合片部１３には押縁１４が係合している。ガラスパネル５の室外面５１と当該室外面５１に対向する押縁１４のパネル対向面との間には、バックアップ材３２が設けられ、シール材３３が施工されている。第一室外見付け片部１２Ａの室外面および室内面は、第一パネル体２Ａのガラスパネル５の室外面５１と平行に配置されている。
図５に示すように、室外枠部１１Ａにおいて上枠６、下枠７、無目８が配置される部分は切り欠かれており、第一傾斜片部１５Ａの内面１５２に上枠６、下枠７、無目８の各端面が当接される構成となっている。
【００２１】
第一傾斜片部１５Ａは、第一縦枠１０Ａの見付け方向外側における第一室外見付け片部１２Ａの側縁部１２１に連続し、第一パネル体２Ａのガラスパネル５の室内面５２よりも室内側に突出して形成されている。第一傾斜片部１５Ａの外面１５１には、鉤状の係合部１５３が形成されている。第一傾斜片部１５Ａは、第一室外見付け片部１２Ａに対して出隅角度θ１よりも小さな鋭角（具体的には後述する傾斜角度θ２）をもって傾斜して配置されており、第一傾斜片部１５Ａの室外縁部は、第一傾斜片部１５Ａの室内縁部よりも第一縦枠１０Ａの見付け方向外側に位置している。
【００２２】
第一傾斜片部１５Ａの外面１５１は、第一室外見付け片部１２Ａの室外面に対して鋭角である傾斜角度θ２をもって傾斜して配置されている。第一傾斜片部１５Ａの外面１５１の室外部分の傾斜角度θ２は４５°である。第一傾斜片部１５Ａの外面１５１の室外部分よりも室内側寄りの部分の傾斜角度θ２は４８°である。
第一傾斜片部１５Ａの内面１５２は、外面１５１に対して第一縦枠１０Ａの見付け方向内側に位置しており、第一室外見付け片部１２Ａの室内面に対して鋭角４８°の傾斜角度θ３をもって傾斜して配置されている。本実施形態では、第一傾斜片部１５Ａの外面１５１の室内側寄りの部分の傾斜角度θ２は、第一傾斜片部１５Ａの内面１５２の傾斜角度θ３と同じ角度に設定されている。
【００２３】
ここで、前述したように、第一室外見付け片部１２Ａの室外面および室内面は第一パネル体２Ａのガラスパネル５の室外面５１と平行に配置されているため、第一傾斜片部１５Ａの外面１５１および内面１５２は、ガラスパネル５の室外面５１に沿った横方向に対して傾斜角度θ２、θ３をもって傾斜してそれぞれ配置されているといえる。また、第一傾斜片部１５Ａの内面１５２は、ガラスパネル５の端面に対しても傾斜した向きに配置されている。
本実施形態では、第一傾斜片部１５Ａの外面１５１の室外部分の傾斜角度θ２は、出隅角度θ１（９０°）の１／２である４５°に設定されており、第一傾斜片部１５Ａの外面１５１の室内側寄りの部分の傾斜角度θ２および内面１５２の傾斜角度θ３は、出隅角度θ１の１／２よりも大きな角度４８°に設定されている。
なお、第一傾斜片部１５Ａの室外部分の肉厚は、その室内側寄りの部分の肉厚よりも厚く形成されている。
【００２４】
室内枠部１６Ａは、室外枠部１１Ａに対して間隔を隔てて室内側に配置されている。室内枠部１６Ａは、パネル対向片部１７と、内側傾斜片部１８と、第一室内見付け片部１９Ａとを有して構成されている。
【００２５】
パネル対向片部１７は、第一傾斜片部１５Ａに連続しており、第一縦枠１０Ａの見付け方向に沿って配置されている。ガラスパネル５の室内面５２と当該室内面５２に対向するパネル対向片部１７のパネル対向面との間には、バックアップ材３２が設けられ、シール材３３が施工されている。
内側傾斜片部１８は、パネル対向片部１７に連続しており、第一傾斜片部１５Ａと平行に配置されている。
第一室内見付け片部１９Ａは、第一傾斜片部１５Ａの室内縁部と内側傾斜片部１８とに連続しており、第一縦枠１０Ａの見付け方向に沿って配置されている。
図５に示すように、室内枠部１６Ａにおいて上枠６、下枠７、無目８が配置される部分は切り欠かれており、第一傾斜片部１５Ａの内面１５２に上枠６、下枠７、無目８の各端面が当接される構成となっている。
【００２６】
第一室外見付け片部１２Ａ、係合片部１３および第一傾斜片部１５Ａによって室外側ホロー部が形成されている。
パネル対向片部１７、内側傾斜片部１８、第一室内見付け片部１９Ａおよび第一傾斜片部１５Ａによって室内側ホロー部が形成されている。
押縁１４、係合片部１３、第一傾斜片部１５Ａ、パネル対向片部１７によってガラスパネル５の側端部が配置される溝形成部が形成されている。この溝形成部においてガラスパネル５の側端面と第一傾斜片部１５Ａの内面１５２とのクリアランスＣは、例えば４ｍｍ以上に設定される。
【００２７】
第二縦枠１０Ｂは、図４に示すように、室外枠部１１Ｂと、第二傾斜片部１５Ｂと、室内枠部１６Ｂとを有して構成されている。
【００２８】
室外枠部１１Ｂは、第二室外見付け片部１２Ｂと、第二室外見付け片部１２Ｂおよび第二傾斜片部１５Ｂに連続する係合片部１３とを有しており、係合片部１３には押縁１４が係合している。ガラスパネル５の室外面５１と当該室外面５１に対向する押縁１４のパネル対向面との間には、バックアップ材３２が設けられ、シール材３３が施工されている。第二室外見付け片部１２Ｂの室外面および室内面は、第二パネル体２Ｂのガラスパネル５の室外面５１と平行に配置されている。
室外枠部１１Ｂにおいて上枠６、下枠７、無目８が配置される部分は切り欠かれており、第二傾斜片部１５Ｂの内面１５２に上枠６、下枠７、無目８の各端面が当接される構成となっている。
この室外枠部１１Ｂは、室外枠部１１Ａと同様に構成されている。
【００２９】
第二傾斜片部１５Ｂは、第二縦枠１０Ｂの見付け方向外側における第二室外見付け片部１２Ｂの側縁部１２１に連続し、第二パネル体２Ｂのガラスパネル５の室内面５２よりも室内側に突出して形成されている。第二傾斜片部１５Ｂの外面１５１には、鉤状の係合部１５３が形成されている。第二傾斜片部１５Ｂは、第二室外見付け片部１２Ｂに対して出隅角度θ１よりも小さな鋭角（具体的には後述する傾斜角度θ２）をもって傾斜して配置されており、第一傾斜片部１５Ａの室外縁部は、第一傾斜片部１５Ａの室内縁部よりも第一縦枠１０Ａの見付け方向外側に位置している。
【００３０】
第二傾斜片部１５Ｂの外面１５１は、第二室外見付け片部１２Ｂの室外面に対して鋭角である傾斜角度θ２をもって傾斜して配置されている。第二傾斜片部１５Ｂの外面１５１の室外部分の傾斜角度θ２は４５°である。第二傾斜片部１５Ｂの外面１５１の室外部分よりも室内側寄りの部分の傾斜角度θ２は４８°である。
第二傾斜片部１５Ｂの内面１５２は、外面１５１に対して第二縦枠１０Ｂの見付け方向内側に位置しており、第二室外見付け片部１２Ｂの室内面に対して鋭角４８°の傾斜角度θ３をもって傾斜して配置されている。第二傾斜片部１５Ｂの外面１５１の室内側寄りの部分の傾斜角度θ２は、第二傾斜片部１５Ｂの内面１５２の傾斜角度θ３と同じ角度に設定されている。
このように、本実施形態では、第二傾斜片部１５Ｂの外面１５１の傾斜角度θ２は、第一傾斜片部１５Ａの外面１５１の傾斜角度θ２と同じであり、第二傾斜片部１５Ｂの内面１５２の傾斜角度θ３は、第一傾斜片部１５Ａの内面１５２の傾斜角度θ３と同じである。
【００３１】
ここで、前述したように、第二室外見付け片部１２Ｂの室外面および室内面は第二パネル体２Ｂのガラスパネル５の室外面５１と平行に配置されているため、第二傾斜片部１５Ｂの外面１５１および内面１５２は、ガラスパネル５の室外面５１に沿った横方向に対して傾斜角度θ２、θ３をもって傾斜してそれぞれ配置されているといえる。また、第二傾斜片部１５Ｂの内面１５２は、ガラスパネル５の端面に対しても傾斜した向きに配置されている。
なお、第二傾斜片部１５Ｂの室外部分の肉厚は、その室内側寄りの部分の肉厚よりも厚く形成されている。
【００３２】
室内枠部１６Ｂは、室外枠部１１Ｂに対して間隔を隔てて室内側に配置されている。室内枠部１６Ｂは、パネル対向片部１７と、内側傾斜片部１８と、第二室内見付け片部１９Ｂとを有して構成されている。
【００３３】
パネル対向片部１７は、第二傾斜片部１５Ｂに連続しており、第二縦枠１０Ｂの見付け方向に沿って配置されている。ガラスパネル５の室内面５２と当該室内面５２に対向するパネル対向片部１７のパネル対向面との間には、バックアップ材３２が設けられ、シール材３３が施工されている。
内側傾斜片部１８は、パネル対向片部１７に連続しており、第二傾斜片部１５Ｂと平行に配置されている。
第二室内見付け片部１９Ｂは、第二傾斜片部１５Ｂの室内縁部と内側傾斜片部１８とに連続しており、第二縦枠１０Ｂの見付け方向に沿って配置されている。
室内枠部１６Ｂにおいて上枠６、下枠７、無目８が配置される部分は切り欠かれており、第二傾斜片部１５Ｂの内面１５２に上枠６、下枠７、無目８の各端面が当接される構成となっている。
【００３４】
第二室外見付け片部１２Ｂ、係合片部１３および第二傾斜片部１５Ｂによって室外側ホロー部が形成されている。
パネル対向片部１７、内側傾斜片部１８、第二室内見付け片部１９Ｂおよび第二傾斜片部１５Ｂによって室内側ホロー部が形成されている。
押縁１４、係合片部１３、第二傾斜片部１５Ｂ、パネル対向片部１７によってガラスパネル５の側端部が配置される溝形成部が形成されている。この溝形成部においてガラスパネル５の側端面と第二傾斜片部１５Ｂの内面１５２とのクリアランスＣは、例えば４ｍｍ以上に設定される。
第一傾斜片部１５Ａの外面１５１の室外部分と第二傾斜片部１５Ｂの外面１５１の室外部分との間には、湿式のシール材３５が施工されている。
【００３５】
方立２０は、図４に示すように、アルミ製の押出し形材によって形成されており、方立本体２１と、第一連結片部２５と、第二連結片部２７とを有して構成されている。
【００３６】
方立本体２１は、図６に示すように上下方向に板状に延びて形成されており、第一傾斜片部１５Ａおよび第二傾斜片部１５Ｂのそれぞれの外面１５１間であって各ガラスパネル５よりも室内側に配置されている。
方立本体２１の室外側縁部には、第一傾斜片部１５Ａおよび第二傾斜片部１５Ｂの係合部１５３にそれぞれ係合した二つの鉤部を有した係合部２２が形成されている。
方立本体２１の室内側縁部には、第一傾斜片部１５Ａおよび第二傾斜片部１５Ｂに向かって突出して形成され、第一傾斜片部１５Ａおよび第二傾斜片部１５Ｂのそれぞれの外面１５１に当接した当接部２３が形成されている。
また、方立本体２１には、係合部２２および当接部２３間の位置に切欠部２４が形成されている。本実施形態では、切欠部２４は孔部によって構成されており、当該切欠部２４には各取付ネジ３１の頭部が配置可能である。これにより、各取付ネジ３１の方立本体２１に対する干渉をなくしている。
【００３７】
第一連結片部２５および第二連結片部２７は、当接部２３にそれぞれ連続しており、第一縦枠１０Ａおよび第二縦枠１０Ｂよりも室内側に配置されている。
第一連結片部２５は、図４に示すように、第一縦枠１０Ａの見付け方向に沿って配置され、連結ビス３４によって第一室内見付け片部１９Ａにビス止めされている。
第二連結片部２７は、第二縦枠１０Ｂの見付け方向に沿って配置され、連結ビス３４によって第二室内見付け片部１９Ｂにビス止めされている。
また、第一連結片部２５は室内側に突出した装着部２６を有し、第二連結片部２７は室内側に突出した装着部２８を有している。装着部２６，２８には、断面コ字状の方立カバー２９が装着されている。
なお、図６に示すように、第一連結片部２５および第二連結片部２７の上下方向の長さは、方立本体２１の上下方向の長さよりも短く形成されているが、各種の出隅設計に対応して適宜長さに設定可能である。
【００３８】
図４に示すように、第一パネル体２Ａをその見込み方向外側（室外側）から見た際の出隅方立構造３０の見え面の横幅寸法Ｗ１は、第一縦枠１０Ａおよび押縁１４の室外側からの見え面の横幅寸法Ｗ２と、第一室外見付け片部１２Ａの側縁部１２１から第二縦枠１０Ｂの室外面に沿った位置までの見付け方向における横幅寸法Ｗ３との和である。
第一傾斜片部１５Ａの外面１５１を第一室外見付け片部１２Ａに対して傾斜して配置し、第一室外見付け片部１２Ａの側縁部１２１を第二縦枠１０Ｂの室外面に沿った位置に寄せて配置することで、例えば第一傾斜片部１５Ａが傾斜配置されずに第一縦枠１０Ａの見込み方向に沿って配置される場合と比べ、横幅寸法Ｗ３は小さく設定されている。
このように各横幅寸法Ｗ３が小さく設定されることで、横幅寸法Ｗ１も小さく設定されることとなる。
【００３９】
第二パネル体２Ｂをその見込み方向外側（室外側）から見た際の出隅方立構造３０の見え面の横幅寸法Ｗ１は、第二縦枠１０Ｂおよび押縁１４の室外側からの見え面の横幅寸法Ｗ２と、第二室外見付け片部１２Ｂの側縁部１２１から第一縦枠１０Ａの室外面に沿った位置までの見付け方向における横幅寸法Ｗ３との和である。
第二パネル体２Ｂ側の各横幅寸法Ｗ１、Ｗ２、Ｗ３は、前述した第一パネル体２Ａ側の各横幅寸法Ｗ１、Ｗ２、Ｗ３と同寸法であり、例えば第二傾斜片部１５Ｂが傾斜配置されずに第二縦枠１０Ｂの見込み方向に沿って配置される場合と比べ、小さく設定されている。
以上のように各横幅寸法Ｗ１が小さく設定されることで、出隅方立構造３０の室外側の見え面が細見付け化され、出隅方立構造３０が外観上においてスリムに構成される。
【００４０】
また、各室内枠部１６Ａ，１６Ｂに方立２０の第一連結片部２５および第二連結片部２７が連結されることで、連窓１の室内側において強度の高い構造体を形成できる。これにより、前述したように出隅方立構造３０を外観上スリム化し、大型のガラスパネル５が採用されても、当該ガラスパネル５を保持するための方立強度を維持可能となっている。
【００４１】
［出隅方立構造の施工］
以下、出隅方立構造３０の施工について説明する。
先ず、第一パネル体２Ａを組み立て、図７に示すように第一傾斜片部１５Ａの係合部１５３を方立２０の係合部２２に係合する。続いて、第一パネル体２Ａを係合部２２，１５３の係合部分のまわりで方立２０に対して回動し、第一傾斜片部１５Ａの外面１５１を方立２０の当接部２３に当接する。このとき、第一縦枠１０Ａは、方立２０にビス止めされていない状態であるが、係合部２２，１５３の係合と第一傾斜片部１５Ａの当接部２３への当接とによって仮位置決めされている。
【００４２】
次に、図８に示すように連結ビス３４を方立２０の第一連結片部２５に挿通し、第一縦枠１０Ａの第一室内見付け片部１９Ａに螺合して、第一室内見付け片部１９Ａを第一連結片部２５に連結する。この連結によって第一縦枠１０Ａは方立２０に本位置決めされる。この状態では、取付ネジ３１の頭部は、切欠部２４に配置される。
なお、第二パネル体２Ｂの方立２０への連結も、第一パネル体２Ａの方立２０への連結と同様に行う。
このようにして、出隅方立構造３０を施工する。その後、複数のパネル体２が連結されることで図１に示す連窓１が構成される。
【００４３】
［第１実施形態の効果］
（１）第一傾斜片部１５Ａは、第一室外見付け片部１２Ａに対して出隅角度θ１よりも小さな鋭角をもって傾斜して配置され、第二傾斜片部１５Ｂは、第二室外見付け片部１２Ｂに対して出隅角度θ１よりも小さな鋭角をもって傾斜して配置されている。このため、第一傾斜片部１５Ａ、第二傾斜片部１５Ｂがガラスパネル５の見込み方向に沿って配置される場合と比べ、第一傾斜片部１５Ａおよび第二傾斜片部１５Ｂの室外縁部同士を近接して配置できる。これにより、第一縦枠１０Ａの見付け方向において第一室外見付け片部１２Ａを第二室外見付け片部１２Ｂ側に寄せて配置できるとともに、第二縦枠１０Ｂの見付け方向において第二室外見付け片部１２Ｂを第一室外見付け片部１２Ａ側に寄せて配置でき、第一室外見付け片部１２Ａ側を室外側から見た際の見え面と第二室外見付け片部１２Ｂ側を室外側から見た際の見え面とをスリム化できる。このように、出隅方立構造３０を外観上スリム化できる。また、第一傾斜片部１５Ａ、第二傾斜片部１５Ｂが前述したように傾斜して配置されているため、ガラスパネル５よりも室内側に突出した第一傾斜片部１５Ａの室内部分と、ガラスパネル５よりも室内側に突出した第二傾斜片部１５Ｂの室内部分とが互いに干渉することがなく、第一傾斜片部１５Ａおよび第二傾斜片部１５Ｂの室外縁部同士を近接して配置できる。
さらに、方立２０は、各ガラスパネル５よりも室内側に配置されて当該第一縦枠１０Ａおよび第二縦枠１０Ｂを連結するため、出隅方立構造３０の外観に影響を与えることなく、ガラスパネル５を保持するのに十分な強度を有した構造体を構成でき、各ガラスパネル５が大型化されても保持できる。
（２）第一室外見付け片部１２Ａに対する第一傾斜片部１５Ａの傾斜角度θ２が第二室外見付け片部１２Ｂに対する第二傾斜片部１５Ｂの傾斜角度θ２と同じに設定されるため、第一縦枠１０Ａおよび第二縦枠１０Ｂの断面形状を共通化することが容易となる。これにより、各縦枠１０Ａ，１０Ｂの製造コストを削減でき、施工性を向上できる。
（３）各外面１５１の室外部分よりも室内側寄りの部分は、各内面１５２と平行に配置されている。このため、第一傾斜片部１５Ａ、第二傾斜片部１５Ｂの室内側寄りの部分の肉厚が薄くならずに一定の厚みに形成でき、第一傾斜片部１５Ａ、第二傾斜片部１５Ｂの室内側強度を維持できる。
また、第一傾斜片部１５Ａ、第二傾斜片部１５Ｂの内面１５２の前述した傾斜角度θ３が、第一傾斜片部１５Ａ、第二傾斜片部１５Ｂの外面１５１の室外部分の前述した傾斜角度θ２よりも大きく設定されることで、各内面１５２と各ガラスパネル５の側端面とのクリアランスＣを大きくできる。
さらに、各外面１５１の室外部分同士が平行に配置されるため、後述する第二実施形態に係る出隅方立構造３０Ａと同様に、第一傾斜片部１５Ａの外面１５１の室外部分と第二傾斜片部１５Ｂの外面１５１の室外部分との間へのシール材３５の施工性を向上できる。
（４）方立本体２１が、第一傾斜片部１５Ａおよび第二傾斜片部１５Ｂに上枠６、下枠７、無目８などの横材を取り付ける取付ネジ３１が配置可能に構成される切欠部２４を有する。このため、第一縦枠１０Ａおよび第二縦枠１０Ｂを方立本体２１の係合部２２に係合し、第一連結片部２５および第二連結片部２７に連結して、第一傾斜片部１５Ａおよび第二傾斜片部１５Ｂを方立本体２１の近くに配置した場合に、取付ネジ３１の頭部が、第一傾斜片部１５Ａおよび第二傾斜片部１５Ｂと方立本体２１との間に位置しても、取付ネジ３１の頭部を方立本体２１の切欠部２４に配置でき、取付ネジ３１と方立本体２１との干渉をなくすことができる。これにより、第一傾斜片部１５Ａおよび第二傾斜片部１５Ｂと方立本体２１との隙間を、より小さくでき、出隅方立構造３０の外観をスリム化できる。
（５）方立本体２１が、第一傾斜片部１５Ａおよび第二傾斜片部１５Ｂのそれぞれの外面に当接する当接部２３を、係合部２２よりも第一連結片部２５および第二連結片部２７側（室内側）の位置に有している。このため、第一縦枠１０Ａ、第二縦枠１０Ｂを方立２０に連結する場合において第一室内見付け片部１９Ａ、第二室内見付け片部１９Ｂを第一連結片部２５、第二連結片部２７に連結する前段階であっても、第一縦枠１０Ａ、第二縦枠１０Ｂを方立本体２１の係合部２２に係合して当接部２３に当接することによって、第一縦枠１０Ａ、第二縦枠１０Ｂの方立２０に対する仮位置決めができ、出隅方立構造３０の組立作業性を向上できる。
【００４４】
［第２実施形態］
以下、本発明の第２実施形態を図９に基づいて説明する。
図９において、第２実施形態に係る出隅方立構造３０Ａは、第一室外見付け片部１２Ａに対する第一傾斜片部１５Ａの外面１５１、内面１５２の傾斜角度θ２、θ３が出隅角度θ１の１／２の角度である４５°に設定され、第二室外見付け片部１２Ｂに対する第二傾斜片部１５Ｂの外面１５１、内面１５２の傾斜角度θ２、θ３が出隅角度θ１の１／２の角度である４５°に設定される構成で、前述した第１実施形態に係る出隅方立構造３０と相違している。出隅方立構造３０Ａの傾斜角度θ２、θ３の設定以外の各構成は、出隅方立構造３０の各構成と同じである。
【００４５】
出隅方立構造３０Ａによれば、第一傾斜片部１５Ａおよび第二傾斜片部１５Ｂのそれぞれの外面１５１が互いに平行に配置されるため、連窓１において隣り合う一対の縦枠９同士を外観上平面に連結して構成される平面連結部に対してシール材３５を施工する場合と同様に、第一傾斜片部１５Ａおよび第二傾斜片部１５Ｂ間にシール材３５を施工でき、シール材３５の施工に用いるヘラなどを平面連結部と共通化できる。このように、シール材３５の施工性を向上できる。
【００４６】
さらに、第１実施形態に係る出隅方立構造３０では傾斜角度θ２が４８°であるのに対し、第２実施形態に係る出隅方立構造３０Ａでは傾斜角度θ２を４５°に設置することで、前述した横幅寸法Ｗ３をさらに小さく設定できる。
【００４７】
［第３実施形態］
以下、本発明の第３実施形態を図１０に基づいて説明する。
図１０において、第３実施形態に係る出隅方立構造３０Ｂは、第一室外見付け片部１２Ａに対する第一傾斜片部１５Ａの外面１５１の傾斜角度θ２が４５°に設定され、第二室外見付け片部１２Ｂに対する第二傾斜片部１５Ｂの外面１５１の傾斜角度θ２が４５°に設定される構成で、前述した第１実施形態に係る出隅方立構造３０と相違している。出隅方立構造３０Ｂの傾斜角度θ２の設定以外の各構成は、出隅方立構造３０の各構成と同じである。
出隅方立構造３０Ｂでは、第一傾斜片部１５Ａおよび第二傾斜片部１５Ｂの外面１５１の傾斜角度θ２が４５°であるのに対し、第一傾斜片部１５Ａおよび第二傾斜片部１５Ｂの内面１５２の傾斜角度θ３が４８°と大きく設定されることとなる。
【００４８】
この出隅方立構造３０Ｂによれば、出隅方立構造３０Ｂのスリム化した外観を維持したまま、第一傾斜片部１５Ａ、第二傾斜片部１５Ｂの内面１５２と各ガラスパネル５の側端面とのクリアランスＣを大きくでき、このため、第一パネル体２Ａ、第二パネル体２Ｂの設計の自由度を向上でき、従来よりも大型のガラスパネル５を採用可能となる。
【００４９】
また、出隅方立構造３０Ｂでは、各傾斜角度θ２を４５°に設定することで、第２実施形態と同様に横幅寸法Ｗ３を小さく設定することができ、シール材３５の施工性を向上できる。
【００５０】
［第４実施形態］
以下、本発明の第４実施形態を図１１に基づいて説明する。
図１１において、第４実施形態に係る出隅方立構造３０Ｃは、第一室外見付け片部１２Ａに対する第一傾斜片部１５Ａの外面１５１の室外部分を含む全面の傾斜角度θ２が４８°に設定され、第二室外見付け片部１２Ｂに対する第二傾斜片部１５Ｂの外面１５１の室外部分を含む全面の傾斜角度θ２が４８°に設定される構成で、前述した第１実施形態に係る出隅方立構造３０と相違している。出隅方立構造３０Ｃの外面１５１の室外部分の傾斜角度θ２の設定以外の各構成は、出隅方立構造３０の各構成と同じである。
この出隅方立構造３０Ｃによれば、第１実施形態に係る出隅方立構造３０と同様に、ガラスパネル５の保持強度を維持しつつ外観上スリム化できる。
【００５１】
［変形例］
本発明は、以上の実施形態で説明した構成のものに限定されず、本発明の目的を達成できる範囲での変形例は、本発明に含まれる。
例えば、前記第１〜第４実施形態では、第一傾斜片部１５Ａおよび第二傾斜片部１５Ｂの外面１５１の第一室外見付け片部１２Ａおよび第二室外見付け片部１２Ｂに対する傾斜角度θ２は、出隅角度θ１の１／２よりも大きな角度か、または、同じ角度に設定されるが、これに限定されず、例えば、出隅角度θ１の１／２よりも小さな角度に設定されてもよい。
【００５２】
前記第１〜第４実施形態では、第一傾斜片部１５Ａおよび第二傾斜片部１５Ｂの内面１５２の第一室外見付け片部１２Ａおよび第二室外見付け片部１２Ｂに対する傾斜角度θ３が、前述した各外面１５１の傾斜角度θ２と同じ角度か、または、大きな角度に設定されるが、これに限定されず、例えば、傾斜角度θ２よりも小さな角度に設定されてもよい。
【００５３】
前記第１〜第４実施形態では、第一傾斜片部１５Ａと第二傾斜片部１５Ｂとの間にシール材３５が施工されているが、このシール材３５の構成を省略してもよい。
【００５４】
前記第１〜第４実施形態では、第一傾斜片部１５Ａの外面１５１の前述した傾斜角度θ２と第二傾斜片部１５Ｂの外面１５１の前述した傾斜角度θ２とは、互いに同じ角度に設定されるが、これらの角度が互いに異なっていてもよい。
また、前記第１〜第４実施形態では、第一傾斜片部１５Ａの内面１５２の前述した傾斜角度θ３と第二傾斜片部１５Ｂの内面１５２の前述した傾斜角度θ３とは、互いに同じ角度に設定されるが、これらの角度が互いに異なっていてもよい。
【００５５】
前記第１〜第４実施形態では、方立本体２１に切欠部２４が形成されているが、この切欠部２４の構成を省略してもよい。
【００５６】
前記第１〜第４実施形態では、方立本体２１のうち係合部２２よりも室内側の位置に当接部２３が形成されているが、この当接部２３の構成を省略してもよい。
【符号の説明】
【００５７】
１…連窓、２…パネル体、２Ａ…第一パネル体、２Ｂ…第二パネル体、４…枠体、５…ガラスパネル（第一パネル、第二パネル）、５１…室外面、５２…室内面、６…上枠、７…下枠、８…無目、９，１０…縦枠、１０Ａ…第一縦枠、１０Ｂ…第二縦枠、１１Ａ，１１Ｂ…室外枠部、１２１…側縁部、１２Ａ…第一室外見付け片部、１２Ｂ…第二室外見付け片部、１３…係合片部、１４…押縁、１５１…外面、１５２…内面、１５Ａ…第一傾斜片部、１５Ｂ…第二傾斜片部、１６Ａ，１６Ｂ…室内枠部、１７…パネル対向片部、１８…内側傾斜片部、１９Ａ…第一室内見付け片部、１９Ｂ…第二室内見付け片部、２０…方立、２１…方立本体、２２，１５３…係合部、２３…当接部、２４…切欠部、２５…第一連結片部、２６，２８…装着部、２７…第二連結片部、２９…方立カバー、３０，３０Ａ，３０Ｂ，３０Ｃ…出隅方立構造、３１…取付ネジ、３２…バックアップ材、３３，３５…シール材、３４…連結ビス、Ｃ…クリアランス、Ｗ１〜Ｗ３…横幅寸法、θ１…出隅角度、θ２，θ３…傾斜角度。
【図１】
0006427032.tif 000002
【図２】
0006427032.tif 000003
【図３】
0006427032.tif 000004
【図４】
0006427032.tif 000005
【図５】
0006427032.tif 000006
【図６】
0006427032.tif 000007
【図７】
0006427032.tif 000008
【図８】
0006427032.tif 000009
【図９】
0006427032.tif 000010
【図１０】
0006427032.tif 000011
【図１１】
0006427032.tif 000012